(57)【要約】【課題】折り曲げた表面板同士の係合を簡単・確実に行うことができ、きれいな梱包状態を保つことのできる梱包箱を提供する。【解決手段】長方形の裏面板１と、裏面板の各対向辺に順次折目Ａ１、Ｂ１、Ａ２、Ｂ２を介して連設された第１側面板２、第１表面板３、第２側面板４、第２表面板５と、第１表面板３上の、梱包時に第２表面板５と重なる部分の近くに形成された矩形の係止孔７と、第２表面板５の外縁部に突設され、係止孔７より大きな幅を有し、梱包時に係止孔７に向けて上から押し込まれることで、幅方向の中央部で折れ曲がりながら係止孔７を潜り抜けて第１表面板３の裏側に入り込み、裏側で表面板と略平行な姿勢に復元することで係止孔７に抜け止め係止され、それにより両表面板３、５を連結する係止突片８とを有する。【選択図】図２
2008308199.tif 000002
【特許請求の範囲】
【請求項１】
外周形状が長方形の物品を梱包するための梱包箱において、
梱包時に前記物品の底面の少なくとも周縁部を覆う長方形の裏面板と、
該裏面板の一方の対向辺に順次折目を介して連設され、梱包時に物品の側面を覆う第１側面板及び物品の表面の周縁部を覆う第１表面板と、
前記裏面板の他方の対向辺に順次折目を介して連設され、梱包時に物品の側面を覆う第２側面板及び前記第１表面板の上から物品の表面の周縁部を覆う第２表面板と、
前記第１表面板上の、梱包時に前記第２表面板と重なる部分の近くに形成された矩形の係止孔と、
前記第２表面板の外縁部に突設され、前記係止孔より大きな幅を有し、梱包時に前記係止孔に向けて上から押し込まれることで、幅方向の中央部で折れ曲がりながら前記係止孔を潜り抜けて前記第１表面板の裏側に入り込み、裏側で前記第１表面板及び第２表面板と略平行な姿勢に復元することで前記係止孔に抜け止め係止され、それにより前記第１表面板と第２表面板を連結する係止突片と、
を有することを特徴とする梱包箱。
【請求項２】
請求項１に記載の梱包箱であって、
前記係止突片は、前記第２表面板の外縁部に連結された基部の幅が前記係止孔の幅と同じかそれより小さく、且つ、先端部の幅が前記係止孔の幅よりも大きくなった、先広がりの台形状をなしていることを特徴とする梱包箱。
【請求項３】
請求項１に記載の梱包箱であって、
前記係止突片は、前記第２表面板の外縁部に連結された基部の幅が前記係止孔の幅と同じかそれより小さく、且つ、先端部側に行くに従いその幅が徐々に大きくなり、基部と先端部の中間付近でその幅が前記係止孔の幅よりも大きくなった後、更に先端部に行くに従いその幅が徐々に小さくなった、略菱形状をなしていることを特徴とする梱包箱。
【請求項４】
請求項１〜３のいずれか１項に記載の梱包箱を用いた梱包構造であって、
前記物品が、長方形のパネルを長方形の枠材に嵌めたものであり、その枠材の４つの辺と４つのコーナーを、前記梱包箱の裏面板と第１、第２側面板と第１、第２表面板とで覆い、その状態で、前記各係止孔に前記各係止突片を嵌め込んで係合させたことを特徴とする梱包構造。
【発明の詳細な説明】
【技術分野】
【０００１】
本発明は、ソーラーパネルなどの長方形の大型の物品を梱包するのに適した梱包箱、及び、その梱包箱を用いた梱包構造に関するものである。
【背景技術】
【０００２】
従来、ソーラーパネル用の梱包箱として、例えば、特許文献１に記載のものが知られている。
【０００３】
この梱包箱は、図５に示すように、ソーラーパネルのパネル枠３００の長手方向の両側面を被覆してコーナーを保護するための左右一対のシートからなるものである。ソーラーパネルは多数枚を使用することが通常であるので、輸送の際には、梱包箱２００でそれぞれソーラーパネルを梱包したものを多段に積み重ね、全体をテープ２２０で結束することにより、輸送用の荷としている。
【０００４】
図６は特許文献１に記載された従来の梱包箱の要部の構成と組立手順を示す斜視図である。
【０００５】
この梱包箱２００は、図６（ａ）に示すように、各シートに、梱包時にパネル枠３００の底面の周縁部を覆う裏面板２０１と、裏面板２０１の長手方向に沿った側縁に順次折目を介して連設され、梱包時にパネル枠３００の側面を覆う第１側面板２０２及びパネル枠３００の表面の周縁部を覆う第１表面板２０３と、裏面板２０１の長手方向の両端の側縁に順次折目を介して連設され、梱包時にパネル枠３００の側面を覆う第２側面板２０４及びパネル枠３００の表面の周縁部を覆う第２表面板２０５とを設け、梱包時に第１表面板２０３の下側になる第２表面板２０５に、差し込みスリット２０７を設けると共に、梱包時に第２表面板２０５の上側になる第１表面板２０３に、前記差し込みスリット２０７に差し込むことで係止される抜け止め突部２０８ａ付きの係止片２０８を設けたものである。
【０００６】
この梱包箱２００でパネル枠３００を梱包する場合は、図６（ｂ）に示すように、裏面板２０１でパネル枠３００の底面を覆った状態で、第２側面板２０４、第２表面板２０５を順次折り曲げて、パネル枠３００の側面と表面の周縁部を覆う。次いで、図６（ｃ）に示すように、第１側面板２０２と第１表面板２０３を順次折り曲げながら、係止片２０８を垂直に折り曲げて、図６（ｄ）に示すように、差し込みスリット２０７に垂直に差し込む。こうすることで、抜け止め突部２０８ａがスリット２０７の縁に引っ掛かるので、係止片２０８が係止され、第１表面板２０３と第２表面板２０５が係合される。
【特許文献１】実用新案登録第３０９７１４７号公報
【発明の開示】
【発明が解決しようとする課題】
【０００７】
ところで、上述の梱包箱２００では、係止片２０８を垂直に折り曲げながらスリット２０７に差し込む必要があるので、差し込みづらいという問題があった。また、係止片２０８を垂直に差し込んだ状態で抜け止め突部２０８ａがスリット２０７の縁に引っ掛かることにより、係止片２０８が係止されるようになっているので、係止力が弱く、そのため第１表面板２０３が浮き上がって、係止片２０８がスリット２０７から抜けてしまうおそれがあった。
【０００８】
本発明は、上記事情を考慮し、折り曲げた表面板同士の係合を簡単・確実に行うことができ、きれいな梱包状態を保つことのできる梱包箱、及び、その梱包箱を使用した梱包構造を提供することを目的とする。
【課題を解決するための手段】
【０００９】
請求項１の発明は、外周形状が長方形の物品を梱包するための梱包箱において、梱包時に前記物品の底面の少なくとも周縁部を覆う長方形の裏面板と、該裏面板の一方の対向辺に順次折目を介して連設され、梱包時に物品の側面を覆う第１側面板及び物品の表面の周縁部を覆う第１表面板と、前記裏面板の他方の対向辺に順次折目を介して連設され、梱包時に物品の側面を覆う第２側面板及び前記第１表面板の上から物品の表面の周縁部を覆う第２表面板と、前記第１表面板上の、梱包時に前記第２表面板と重なる部分の近くに形成された矩形の係止孔と、前記第２表面板の外縁部に突設され、前記係止孔より大きな幅を有し、梱包時に前記係止孔に向けて上から押し込まれることで、幅方向の中央部で折れ曲がりながら前記係止孔を潜り抜けて前記第１表面板の裏側に入り込み、裏側で前記第１表面板及び第２表面板と略平行な姿勢に復元することで前記係止孔に抜け止め係止され、それにより前記第１表面板と第２表面板を連結する係止突片と、を有することを特徴とする。
【００１０】
請求項２の発明は、請求項１に記載の梱包箱であって、前記係止突片は、前記第２表面板の外縁部に連結された基部の幅が前記係止孔の幅と同じかそれより小さく、且つ、先端部の幅が前記係止孔の幅よりも大きくなった、先広がりの台形状をなしていることを特徴とする。
【００１１】
請求項３の発明は、請求項１に記載の梱包箱であって、前記係止突片は、前記第２表面板の外縁部に連結された基部の幅が前記係止孔の幅と同じかそれより小さく、且つ、先端部側に行くに従いその幅が徐々に大きくなり、基部と先端部の中間付近でその幅が前記係止孔の幅よりも大きくなった後、更に先端部に行くに従いその幅が徐々に小さくなった、略菱形状をなしていることを特徴とする。
【００１２】
請求項４の発明は、請求項１〜３のいずれか１項に記載の梱包箱を用いた梱包構造であって、前記物品が、長方形のパネルを長方形の枠材に嵌めたものであり、その枠材の４つの辺と４つのコーナーを、前記梱包箱の裏面板と第１、第２側面板と第１、第２表面板とで覆い、その状態で、前記各係止孔に前記各係止突片を嵌め込んで係合させたことを特徴とする。
【発明の効果】
【００１３】
請求項１の発明によれば、梱包時に下側となる第１表面板と上側となる第２表面板にそれぞれ互いに係合する矩形の係止孔と係止突片を設け、係止突片を上から係止孔に重ねた状態で係止孔に対し押し込むだけで、係止突片が、自分から折れ曲がりながら係止孔を潜り抜けて下側の表面板の裏側に入り込んで、その状態で表面板と略平行な姿勢に復元して係止孔に抜け止めされるようになっているので、一旦係止孔に係止突片を押し込むと、簡単に抜けない状態に保つことができる。特に係止突片を、表面板に垂直な向きに折り曲げて相手側に差し込む形式ではなく、表面板と略平行な姿勢のまま係止孔の裏側に潜り込ませる形式であるから、折り曲げながらスリットに差し込むのと違って係合を簡単に行えると共に、係止力を強く保つことができる。従って、一旦係合させた状態で表面板が浮き上がったり抜けたりする心配がなく、きれいな梱包状態を保つことができる。
【００１４】
請求項２の発明によれば、係止突片の形状を先広がりの台形状に形成してあるので、一旦係合させると抜けにくくすることができる。
【００１５】
請求項３の発明によれば、係止突片の形状を略菱形状に形成してあるので、幅の狭くなった先端部分を先に係止孔に入れた状態で係止突片を上から押し込むことで、安定した姿勢で容易に係止突片を係止孔に押し入れることができる。しかも、一旦係合させると抜けにくくすることができる。
【００１６】
請求項４の発明によれば、長方形の枠材の４つの辺と４つの角を梱包箱の裏面板と側面板と表面板とで覆うので、枠材の全ての外周部を保護することができ、安全な荷造りが可能となる。
【発明を実施するための最良の形態】
【００１７】
以下、本発明の実施形態を図面を参照して説明する。
【００１８】
図１は梱包箱の展開図、図２（ａ）〜（ｃ）は梱包箱の要部の構成と組立手順を示す斜視図、図３は別の実施形態の梱包箱の要部の構成と組立手順を示す斜視図、図４は梱包品を多段積みして荷造りした状態を示す斜視図である。
【００１９】
図１に示すように、実施形態の梱包箱５０は、外周形状が長方形の物品（ここではソーラーパネル）を梱包するためのものであり、梱包時に物品の底面の少なくとも周縁部を覆う長方形の裏面板１と、裏面板１の両長辺の外側に順次直線状の折目Ａ１、Ｂ１を介して連設され、梱包時に物品の側面を覆う第１側面板２及び物品の表面の周縁部を覆う第１表面板３と、裏面板１の短辺の外側に順次直線状の折目Ａ２、Ｂ２を介して連設され、梱包時に物品の側面を覆う第２側面板４及び第１表面板３の上から物品の表面の周縁部を覆う第２表面板５と、第１表面板３上の、梱包時に第２表面板５と重なる部分の近くに形成された矩形の係止孔７と、第２表面板５の外縁部に突設され、係止孔７より大きな幅を有し、梱包時に係止孔７に向けて上から押し込まれることで、幅方向の中央部で折れ曲がりながら係止孔７を潜り抜けて第１表面板３の裏側に入り込み、裏側で第１表面板３及び第２表面板５と略平行な姿勢に復元することで係止孔７に抜け止め係止され、それにより第１表面板３と第２表面板５を連結する係止突片８と、を有している。
【００２０】
裏面板１の中央部には、外周形状と相似形の矩形の開口１ａが形成されている。また、第１側面板２の長手方向の両端には、梱包時に第２側面板４の下側に折り込まれることで、両側面板２、４の端縁間に隙間ができないようにして物品のコーナー部を保護するフラップ６が連結されている。
【００２１】
図２に示すように、係止突片８は、第２表面板５の外縁部に連結された基部８ａの幅が係止孔７の幅と同じかそれより小さく、且つ、先端部８ｂの幅が係止孔７の幅よりも大きくなった、先広がりの台形状をなしており、先端部の幅方向の両側には抜け止め突部８ｃが設けられている。
【００２２】
このように構成された梱包箱５０で、例えば、長方形のソーラーパネル本体（パネル）１１を長方形のパネル枠（枠材）１０の溝１２に嵌めた物品（ソーラーパネル）を梱包する場合は、図２（ａ）に示すように、裏面板１でパネル枠１０の底面を覆った状態で、第１側面板２及び第１表面板３を順次折り曲げて、パネル枠１０の長辺方向の側面と表面の周縁部を覆う。次いで、第２側面板４と第２表面板５を順次折り曲げてパネル枠１０の短辺方向の側面と表面の周縁部を覆う。
【００２３】
次いで、図２（ｂ）に示すように、第２表面板５の係止突片８を第１表面板３の係止孔７の上に重ねた状態にし、そのまま係止突片８を矢印Ｘで示すように単純に上から係止孔７に対し押し込む。そうすると、係止突片８が、自分から中央部分で折れ曲がりながら係止孔７を潜り抜けて、下側の第１表面板３の裏側に入り込む。裏側に入り込むと、係止孔７の周縁による拘束がなくなるので、図２（ｃ）に示すように、係止突片８は、第１、第２表面板３、５と略平行な姿勢に復元して係止孔７に抜け止めされる。
【００２４】
従って、一旦係止孔７に係止突片８を押し込むことにより、簡単に抜けない状態に保つことができる。特に係止突片８を、第２表面板５に垂直な向きに折り曲げて相手側に差し込む形式ではなく、第２表面板５と略平行な姿勢のまま係止孔７の裏側に潜り込ませる形式であるから、従来のように折り曲げながらスリットに差し込むのと違って、係合を簡単に行えると共に、係止力を強く保つことができる。その結果、一旦係合させた状態で第２表面板５が浮き上がったり抜けたりする心配がなく、きれいな梱包状態を保つことができる。また、本実施形態の場合、係止突片８の形状を、先広がりの台形状に形成してあるので、一旦係合させると確実に抜けにくくすることができる。
【００２５】
また、上述の台形状の係止突片８の代わりに、図３（ａ）〜（ｃ）に示す梱包箱５０Ｂのような係止突片１８を採用してもよい。この係止突片１８は、第２表面板５の外縁部に連結された基部１８ａの幅が係止孔７の幅と同じかそれより小さく、且つ、先端部１８ｂ側に行くに従いその幅が徐々に大きくなり、基部１８ａと先端部１８ｂの中間付近でその幅が係止孔７の幅よりも大きくなった後、更に先端部８ｂに行くに従いその幅が徐々に小さくなった、略菱形状をなしている。従って、中間部の幅方向の両側に抜け止め突部１８ｃが設けられている。
【００２６】
このように係止突片１８の形状を略菱形状に形成した場合は、図３（ｂ）に示すように、幅の狭くなった先端部１８ｂを先に係止孔７に差し込んだ状態で係止突片８を上から押し込むことができるので、安定した姿勢で容易に係止突片８を係止孔７に押し入れることができ、一旦係合させると抜けにくくすることができる。
【００２７】
いずれの場合も、実施形態の梱包箱５０、５０Ｂでソーラーパネルを梱包する場合は、パネル枠１０の４つの辺と４つのコーナーを梱包箱の裏面板１と第１、第２側面板２、４と第１、第２表面板３、５とで完全に覆うことができる（梱包構造）。従って、パネル枠１０の全ての外周部を保護することができて安全な荷造りが可能となる。
【００２８】
図４は梱包箱５０、５０Ｂで梱包したものを多段に積み重ねて、輸送用の荷を完成させた状態を示している。この図に示すように、梱包品を多段に積み重ねたら、全体を樹脂のバンド１０２で井形に結束し、外周にフィルム１０４を巻き付けてパレット１００に載せる。この状態で搬送に供することができる。
【図面の簡単な説明】
【００２９】
【図１】本発明の実施形態の梱包箱の展開図である。
【図２】（ａ）〜（ｃ）は同梱包箱の要部の構成と組立手順を示す斜視図である。
【図３】別の実施形態の梱包箱の要部の構成と組立手順を示す斜視図でる。
【図４】梱包品を多段積みして荷造りした状態を示す斜視図である。
【図５】従来の梱包箱を用いた梱包品の多段積みした荷を示す斜視図である。
【図６】（ａ）〜（ｄ）は従来の梱包箱の要部の構成と組立手順を示す斜視図である。
【符号の説明】
【００３０】
５０，５０Ｂ  梱包箱
１  裏面板
２  第１側面板
３  第１表面板
４  第２側面板
５  第２表面板
７  係止孔
８，１８  係止突片
８ａ，１８ａ  基部
８ｂ，１８ｂ  先端部
Ａ１，Ａ２，Ｂ１，Ｂ２  折目
【図１】
2008308199.tif 000003
【図２】
2008308199.tif 000004
【図３】
2008308199.tif 000005
【図４】
2008308199.tif 000006
【図５】
2008308199.tif 000007
【図６】
2008308199.tif 000008